(57)【要約】【課題】  天面板から正面板の下端縁の間を結ぶ左右対称形の一対の不連続切断線（Ｚ１−Ｚ２−Ｚ３−Ｚ４−Ｚ５）を切り離して正面板内に形成されるロールシート引き出し開口が、該開口の両側縁にロールシートの両側縁部を誘導してシートを水平に引き出すことを可能とする角部ａを有する開口となるロールシート収納紙箱を提供する。【解決手段】正面板内にロールシート引き出し開口部Ａを形成する左右対称形の一対の正面板内の不連続切断線部（Ｚ２−Ｚ３−Ｚ４）によって形成される正面板内の開口部の形状が、正面板中央部から両側縁部方向にテーパー状に収斂していて、正面板２の両側縁部に略Ｖ字形の角部ａを形成している。【選択図】  図３
2013129433.tif 000002
【特許請求の範囲】
【請求項１】
直方体形状の紙箱の天面板内の２点と、正面板の下端縁の中央部の２点との間を結ぶ左右対称形の一対の切り離し用の不連続切断線を切り離すことにより開閉可能な蓋部とロールシート引き出し開口部が形成される直方体形状の紙箱であって、
該左右対称形の一対の切り離し用の不連続切断線は、天面板内の２点から正面板との間の折線上の２点に至る天面板内不連続切断線部と、
天面板と正面板との間の折線上の２点から正面板とその両側縁閉鎖板の間の折線の１点に至る天面板側の傾斜不連続切断線部と、
該折線上の天面板側の１点より同じ折線上の正面板の下端縁側の１点に至る一対の直線状不連続切断線部と、
正面板とその両側縁閉鎖板の間の折線上の前記下端縁側の１点から正面板の下端縁の中央部の２点に至る一対の正面板の下端縁側の傾斜不連続切断線部とが連続して形成されており、
正面板内で連続する一対の正面板内不連続切断線部には、前記天面板側の傾斜不連続切断線部と正面板の下端縁側の傾斜不連続切断線部が正面板の中央側から両側縁の折線上の直線状不連続切断線部の両端部に向かって収斂している状態で両端部に接続していることにより、正面板２の両側縁部に略Ｖ字形の角部が形成されていることを特徴とするロールシート収納紙箱。
【請求項２】
正面板内における前記一対の天面板側の傾斜不連続切断線部と天面板と正面板の間の折線とによって形成される鋭角部の角度が４５±５°であって、一対の天面板側の傾斜不連続切断線部と前記一対の正面板の下端縁側の傾斜不連続切断線部によって形成される角部の角度が８０〜９０°であり、正面板の両側縁の折線部分における天面板側の１点から天面板と正面板の間の折線までの折線部分の長さが、正面板の両側縁の折線の全長の１／４を超えない長さであることを特徴とする請求項１に記載のロールシート収納紙箱。
【請求項３】
前記正面板の内側に、底面板に折線を介して連設されていてその上端縁に波刃が形成されている内側正面板が折り込まれ、正面板と内側正面板とは、内側正面板の上端縁の波刃が正面板の下端縁側の傾斜不連続切断線部の上方に突出した状態で接合されていることを特徴とする請求項１又は２に記載のロールシート収納紙箱。
【請求項４】
前記一対の正面板の下端縁側の傾斜不連続切断線部は、正面板の下端縁の中央部の２点から正面板内に短く平行に起立している連続切断線部又は不連続切断線部を介して下端縁Ｍの２点に接続されており、該短く平行に起立している連続切断線部又は不連続切断線部の間に挟まれている先端部と相対する前記内側正面板内には、該先端部を差込係止する差込口が形成されていることを特徴とする請求項１〜３のいずれか１項に記載のロールシート収納紙箱。
【請求項５】
前記正面板の中央部には、正面板の下端縁方向に中央部が半円状に膨らんだ突出部を有する切込線からなる差込部が形成されており、前記天面板内には、正面板によって形成される蓋部を前記正面板と天面板の間の折線から天面板上に折り重ねた際に、蓋部内の半円状の突出部よりなる差込部を差込係止して蓋部を天面板上に固定する差込口が形成されていることを特徴とする請求項１〜４のいずれか１項に記載のロールシート収納紙箱。
【発明の詳細な説明】
【技術分野】
【０００１】
本発明は、ロール状に巻き込んだクッキングペーパーやペーパータオル等のロールシートを収納する直方体形状の紙箱であって、開閉が可能なシート引き出し口を紙箱正面に有するロールシート収納紙箱に関する。特に、本発明は、ロールシートの引き出し抵抗が少なく、均一幅で水平に引き出すことができる開口部を紙箱前面に有するロールシート収納紙箱に関する。
【背景技術】
【０００２】
ロール状に巻き込んだクッキングペーパーやペーパータオル等のロールシートを収納した直方体形状の紙箱の天面から正面にかけて切り離し用の不連続切断線を設けて開閉可能なロールシート取り出し口を形成するタイプのロールシート収納箱として、収納ロールシートの取り出し易さを向上させたもの（特許文献１、特許文献２）、収納ロールシートの切断機構を改善したもの（特許文献３）、トップオープン方式の開閉紙箱の開閉部分のリクローズ性を改善したもの（特許文献４）などのように収納ロールシートの開閉可能な取り出し口の改善に関する提案は多数なされている。
【０００３】
直方体形状の紙箱の天面から正面にかけて切り離し用の不連続切断線を設けて開閉可能なシート取り出し口を形成するタイプのロールシート収納箱の場合、収納したシートの引き出し抵抗を少なくするためには、直方体形状の紙箱の正面の全幅にわたる大きな開口を形成することがよいとされている。
しかし、直方体形状の紙箱の正面の全幅にわたる大きな開口を形成した場合、引き出されるシートが上下、左右方向に自由に変形できる状態であるため、使用者によって個人差があるシートの引き出し方向のバラツキが引き出されるシートの捩れの原因となって引き出されたシートのカットが効率的に行われないことがある。
【先行技術文献】
【特許文献】
【０００４】
【特許文献１】特開平０８−２４４７８７号公報
【特許文献２】特開平１０−０８６９３７号公報
【特許文献３】特開平０９−２９５６３７号公報
【特許文献４】特開平０９−１９３９２６号公報
【発明の概要】
【発明が解決しようとする課題】
【０００５】
本発明は、直方体形状の紙箱の天面から正面にかけて切り離し用の不連続切断線を設けて開閉可能なロールシート取り出し口を正面の全幅にわたって形成するタイプのロールシート収納紙箱における前記したような使用者の個人差によるシートの引き出し方向のバラツキを抑制し、常にシートが水平状態で引き出されるように誘導することができる正面開口部を有するロールシート収納箱を提供することを課題とするものである。本発明は、以下の各発明から選択される。
【０００６】
（１）直方体形状の紙箱１の天面板３内の２点（ｘ１、ｘ２）と、正面板２の下端縁Ｍの中央部の２点（ｍ１、ｍ２）との間を連続的に結ぶ左右対称形の一対の切り離し用の不連続切断線（Ｚ，Ｚ）を切り離すことにより開閉可能な蓋部Ｂとロールシート引き出し開口部Ａが形成される直方体形状の紙箱１であって、
該左右対称形の一対の切り離し用の不連続切断線（Ｚ，Ｚ）は、
天面板３内の２点（ｘ１、ｘ２）から正面板２との間の折線Ｌ１上の２点（ｙ１、ｙ２）に至る天面板内不連続切断線部（Ｚ１）と、
天面板３と正面板２との間の折線Ｌ１上の２点（ｙ１、ｙ２）から正面板２とその両側縁閉鎖板（２ａ，２ｂ）の間の折線Ｌ５上の１点（ｗ１）に至る天面板側の傾斜不連続切断線部（Ｚ２）と、  該折線Ｌ５上の天面板側の１点（ｗ１）より同じ折線Ｌ５上の正面板２の下端縁Ｍ側の１点（ｗ２）に至る一対の直線状不連続切断線部（Ｚ３）と、
正面板２とその両側縁閉鎖板（２ａ，２ｂ）の間の折線Ｌ５上の前記下端縁Ｍ側の１点（ｗ２）から正面板２の下端縁Ｍの中央部の２点（ｍ１、ｍ２）に至る一対の正面板の下端縁側の傾斜不連続切断線部（Ｚ４，Ｚ４）とが連続して形成されており、
正面板２内で連続する一対の正面板内不連続切断線部（Ｚ２−Ｚ３−Ｚ４）には、前記天面板側の傾斜不連続切断線部（Ｚ２）と正面板の下端縁側の傾斜不連続切断線部（Ｚ４）が正面板２の中央側から両側縁の折線Ｌ５上の直線状不連続切断線部（Ｚ３）の両端部に向かって収斂している状態で両端部に接続していることにより、正面板２の両側縁部に略Ｖ字形の角部ａが形成されていることを特徴とするロールシート収納紙箱。
【０００７】
（２）正面板２内における前記一対の天面板側の傾斜不連続切断線部（Ｚ２，Ｚ２）と天面板３と正面板２の間の折線Ｌ１とによって形成される鋭角部ｆ１の角度が４５±５°であって、一対の天面板側の傾斜不連続切断線部（Ｚ２，Ｚ２）と前記一対の正面板の下端縁側の傾斜不連続切断線部（Ｚ４、Ｚ４）によって形成される角部ａの角度ｆ２が８０〜９０°であり、正面板２の両側縁の折線Ｌ５部分における天面板３側の点ｗ１から天面板３と正面板２の間の折線Ｌ１までの折線Ｌ５部分の長さｄが、折線Ｌ５の全長の１／４を超えない長さであることを特徴とする（１）項に記載のロールシート収納紙箱。
【０００８】
（３）前記正面板２の内側に、底面板５に折線Ｌ４を介して連設されていてその上端縁に波刃Ｅが形成されている内側正面板６が折り込まれ、正面板２と内側正面板６とは、内側正面板６の上端縁の波刃Ｅが正面板の下端縁側の傾斜不連続切断線部Ｚ４の上方に突出した状態で接合されていることを特徴とする（１）項又は（２）項に記載のロールシート収納紙箱。
【０００９】
（４）前記一対の正面板の下端縁側の傾斜不連続切断線部（Ｚ４，Ｚ４）は、正面板２の下端縁Ｍの中央部の２点（ｍ１、ｍ２）から正面板２内に短く平行に起立している連続切断線部又は不連続切断線部（Ｚ５，Ｚ５）を介して下端縁Ｍの２点（ｍ１、ｍ２）に接続されており、該短く平行に起立している連続切断線部又は不連続切断線部（Ｚ５，Ｚ５）の間に挟まれている先端部７と相対する前記内側正面板６内には、該先端部７を差込係止する差込口１０が形成されていることを特徴とする（１）項〜（３）項のいずれか１項に記載のロールシート収納紙箱。
【００１０】
（５）前記正面板２の中央部には、正面板２の下端縁Ｍ方向に中央部が半円状に膨らんだ突出部を有する切込線からなる差込部８が形成されており、前記天面板３内には、正面板２によって形成される蓋部Ｂを前記正面板２と天面板３の間の折線Ｌ１から天面板３の上面又は下面のいずれかに折り重ねた際に、蓋部Ｂ内の半円状の突出部よりなる差込部８を差込係止して蓋部Ｂを天面板３上に固定する差込口９が形成されていることを特徴とする（１）項〜（４）項のいずれか１項に記載のロールシート収納紙箱。
【発明の効果】
【００１１】
本発明の直方体形状のロールシート収納紙箱１は、天面板３内から正面板２の下端縁Ｍに至る一対の切り離し用不連続切断線部Ｚ（Ｚ１−Ｚ２−Ｚ３−Ｚ４−Ｚ５）を全長にわたって切り離すことによって正面板２内に形成されるロールシート引き出し開口部Ａの部分の両側縁部に角部ａ部分が形成される。
そして、この角部ａが形成されている正面板２内の開口部Ａの最大幅部分となり、その幅は箱内から引き出されるロールシートの幅と略等しい幅となるので、引き出されるシートの両側縁部が略Ｖ字形状に括れている角部ａ内に誘導された状態で引き出される。その結果、引き出し方に個人差があっても常にシートの両側縁部が角部ａにより水平状態に保たれて引き出されることとなり、シート引き出し時におけるシートの捩れに起因する破れの発生を防止することができる。
【００１２】
また、開口部Ａの角部ａは正面板２の両側縁部における折線Ｌ５上の前記直線状不連続切断線部Ｚ３によって形成される上下方向に短い直線部分を有していてロールシートの側縁部が上下方向に若干スライドできるので、ロールシートの側縁部の引き出し抵抗が大きくなるおそれもない。
また、引き出されるシートの両側縁は常に正面板２の両側縁部の角部ａ内に保持されるので、引き出したシートを上下の何れかの方向（ｂ、ｃ）にカットする場合でも波刃Ｅによる切断のみならず、角部ａのＶ字形状の開口縁による切断も円滑に行うことが可能である。
【００１３】
さらに、正面板２の内側に波刃Ｅを上端縁に有する内側正面板６を接合した場合、前記Ｖ字形状の角部ａにおける波刃部分が引き出しシートのストッパーの役を果たすことができるので、引き出しシートを任意の長さに引き出した状態で確実に止めて切断できるし、シートカットも波刃部分を利用して綺麗に行うことが可能となる。
【図面の簡単な説明】
【００１４】
【図１】本発明のロールシート収納紙箱の展開平面図（ブランクシートを示す図）である。
【図２】図１のロールシート収納箱の正面板２の部分拡大図である。
【図３】図１の展開平面図から組み立てたロールシート収納紙箱の組み立て完了図である。
【図４】図３のロールシート収納紙箱の正面板から天面板方向に不連続切断線を切り離して開閉可能な蓋部Ｂとロールシート引き出し開口部Ａを形成する作業状態を示す図である。
【図５】蓋部Ｂを天面板３上に係止した状態を示す図である。
【図６】収納したロールシートを引き出した状態を示す図である。
【図７】シートカット時の状態を示す図である。
【図８】開封後に保管する際の状態を示す図である。
【発明を実施するための形態】
【００１５】
以下、図面を参照して、本発明のロールシート収納紙箱を具体的に説明する。
図１の展開平面図に示すように、本発明のロールシート収納紙箱１は、折線Ｌ１〜Ｌ４を介して正面板２、天面板３、背面板４、底面板５、内側正面板６が連設されている一枚の板紙から形成されているブランクシートから組み立ててられる紙箱である。
【００１６】
正面板２の左右両側縁には折線Ｌ５を介して側面閉鎖板２ａ，２ｂが連設されており、天面板３の両側縁には折線Ｌ６を介して側面閉鎖板３ａ，３ｂが連設され、背面板４の両側縁には折線Ｌ７を介して側面閉鎖板４ａ，４ｂが連設されている。さらに、底面板５の両側縁には折線Ｌ８を介して側面閉鎖板５ａ，５ｂが連設されており、内側正面板６には折線Ｌ９を介して側面閉鎖板６ａ，６ｂが連設されている。
【００１７】
天面板３には、天面板３と背面板４の間の折線Ｌ２の部分における２点（ｘ１、ｘ２）を基点として、天面板３と正面板２との間の折線Ｌ１上の２点（ｙ１、ｙ２）まで天面板３内を左右対称形に一対の天面板内不連続切断線部（Ｚ１）が形成され、さらに、正面板２内には、上記正面板２と天面板３の間の折線Ｌ１上の２点（ｙ１、ｙ２）から正面板２とその両側面閉鎖板２ａ，２ｂの間の折線Ｌ５上の天面側の１点（ｗ１、ｗ１）にかけて一対の天面板側の傾斜不連続切断線部（Ｚ２、Ｚ２）が形成されており、該天面側の点（ｗ１）から下端縁Ｍ側の１点（ｗ２，ｗ２）までの折線Ｌ５部分に直線状不連続切断線部（Ｚ３、Ｚ３）が形成され、該下端縁Ｍ側の１点（ｗ２，ｗ２）から正面板２の下端縁Ｍの２点（ｍ１，ｍ２）まで一対の正面板下端縁側の傾斜不連続切断線部（Ｚ４、Ｚ４）が形成されている。
【００１８】
天面板３内の切り離し可能な一対の天面板内不連続切断線部（Ｚ１，Ｚ１）の基点（ｘ１、ｘ２）の位置として、図１には、天面板３と背面板４の間の折線Ｌ２上の位置が示されているが、この基点（ｘ１、ｘ２）の位置は、天面板３内であれば特に制限はない。全長にわたる一対の不連続切断線部（Ｚ，Ｚ）を全長にわたって切り離してロールシート引き出し開口部Ａを形成した際に、同時に形成される蓋部Ｂによるロールシート引き出し開口部Ａの開閉操作がし易いことや、天面板３における天面板内の不連続切断線部（Ｚ１，Ｚ１）の基点（ｘ１とｘ２）の間の距離を、折線Ｌ１上の２点ｙ１とｙ２の間の距離よりも短くすると意匠的な効果において優れていること等から、基点（ｘ１、ｘ２）の位置は図示されている位置であることが好ましい。
【００１９】
また、天面板内の不連続切断線部（Ｚ１，Ｚ１）の天面板３と正面板２の間の折線Ｌ１上の２点（ｙ１、ｙ２）の位置は、正面板２内において、正面板２とその両側縁閉鎖板（２ａ，２ｂ）との間の両折線Ｌ５上の天面板側の１点（ｗ１，ｗ１）とを結ぶ天面板側の傾斜不連続切断線部（Ｚ２，Ｚ２）と、同折線Ｌ５上の前記天面側の１点（ｗ１、ｗ１）より下方の両折線Ｌ５上の点（ｗ２、ｗ２）と正面板２の下端縁Ｍの２点（ｍ１、ｍ２）とを結ぶ正面板下端縁側の傾斜不連続切断線部（Ｚ４，Ｚ４）とによって、正面板２の両側縁に形成される横向きＶ字状の角部ａの角度ｆ２を８０°〜９０°とすることが必要であることから、折線Ｌ１の左右両端部に近い図１に示される位置である。
【００２０】
正面板２内の切り離し可能な一対の不連続切断線部は、正面板２と天面板３の間の折線Ｌ１上の屈曲点（ｙ１、ｙ２）から、正面板２とその両側面閉鎖板（２ａ，２ｂ）の間の折線（Ｌ５，Ｌ５）上の天面板３側の１点（ｗ１、ｗ１）に至る天面板側の傾斜不連続切断線部Ｚ２と、該天面側の屈曲点ｗ１から正面板２の下端縁Ｍ側の１点（ｗ２、ｗ２）に至る折線Ｌ５部分に形成される直線状不連続切断線部Ｚ３と、該折線Ｌ５の正面板２の下端縁Ｍ側の屈曲点から下端縁Ｍにおける２点（ｍ１、ｍ２）に至る正面板下端縁側の傾斜不連続切断線部Ｚ４によって形成されており、天面側の不連続切断線部Ｚ２と正面板下端縁側の不連続切断線部Ｚ４とは直線状の不連続切断線部Ｚ３を挟んで横向きＶ字状の角部ａを形成している。
【００２１】
上記のように形成されている横向きのＶ字状の角部ａは、全長にわたって連続的に形成されている一対の不連続切断線部Ｚ（Ｚ１−Ｚ２−Ｚ３−Ｚ４−Ｚ５）を全長にわたって切り離してロールシート引き出し開口部Ａと開閉可能な蓋部Ｂとを形成すると、該角部ａが、ロールシート引き出し開口部Ａから引き出されるシートと略同じ幅の部分となるので、引き出されるシートの両側縁部がＶ字状に括れている角度ｆ２の角部ａ内に誘導されてシートは水平状態に保たれて引き出される。
【００２２】
上記のように、引き出されるロールシートの両側縁部を水平に保持して引き出すことができる角部ａをロールシート引き出し開口部Ａに形成するための切り離し可能な不連続切断線部（Ｚ２−Ｚ３−Ｚ４）を正面板２内に形成するための好ましい形態を図２の正面板２における部分拡大図により説明する。
【００２３】
図２に示されるように、天面板３側の傾斜不連続切断線部Ｚ２は、天面板３と正面板２の間の折線Ｌ１とにより鋭角部ｆ１を形成しており、この鋭角部ｆ１の角度は４５°±５°の範囲であることが好ましい。
正面板２の両側縁の折線Ｌ５における天面側の屈曲点（ｗ１，ｗ１）から折線Ｌ５の上端までの折線Ｌ５部分の長さｄは、折線Ｌ５全長の１／４を超えない長さであることが好ましい。
【００２４】
図２に示すように、正面板２の内側には内側正面板６が接合されている。内側正面板６の上端縁には波刃Ｅが形成されており、該波刃Ｅは、正面板２の下端縁側の傾斜不連続切断線部Ｚ４を切り離して形成される開口縁より上方に位置して、該傾斜不連続切断線部Ｚ４を切り離して形成される開口縁に沿った形状の波刃を有している。波刃Ｅの角部ａ側の端部は図２においては折線Ｌ５における屈曲点ｗ１と点ｗ２の中間部に位置しているが、このような位置に波刃Ｅの端部を配置しても、引き出されるロール状シートの側縁部の引き出し性を阻害することはないし、切断する長さに引き出されたシートを下方に引き下げて切断する際に波刃部分をシート下面からシート内に確実に食い込ませて切断することができる。
【００２５】
図２に示されているように、正面板２の下端縁Ｍの不連続切断線終点ｍ１とｍ２から垂直に立ち上がっている平行な直線状の不連続切断線部（Ｚ５，Ｚ５）を形成して傾斜不連続切断線部Ｚ４の両端部と接続させることにより、一対の不連続切断線部（Ｚ５、Ｚ５）に挟まれている部分を蓋部Ｂの摘み部７とすることができる。この摘み部７を形成する一対の不連続切断線部（Ｚ５、Ｚ５）は、予め切り離している切断線部とすることもできる。
図１に示すように、内側正面板６内には、上記摘み部７を差し込み係止するための差込穴１０を切り込み線によって形成することが好ましい。
【００２６】
次に、図１の展開平面図に示されるブランクシートから本発明のロールシート収納紙箱を組み立てた後、全長にわたって対称形に形成されている一対の不連続切断線（Ｚ，Ｚ）を全長にわたって切り離してロールシート引き出し開口部Ａと開閉自在な蓋部Ｂを形成し、収納しているロールシートを引き出して切断するまでの作業手順を図３から図７を参照して説明する。
【００２７】
図１のブランクシートから図３に示す組み立て完了した状態のロールシート収納紙箱１を組み立てる作業は、折線Ｌ４〜折線Ｌ１において、内側正面板６、底面板５、背面板４、天面板３のそれぞれを直角に順次折り曲げ、内側正面板６を正面板２の内側に折り込んだ状態で内側正面板２と正面板２を接合して矩形筒状体を形成する。次いで、一方の側縁開口部からロールシートを挿入し、その後、正面板２の両側縁板（２ａ，２ｂ）と内側正面板６の両側縁板（６ａ，６ｂ）を折り重ねた状態で背面板４の両側縁板（４ａ，４ｂ）を側縁開口部と折り重ねるように折り曲げ、その上に底面板５の両側縁板（５ａ，５ｂ）を折り重ね、最後に、天面板３の両側縁板（３ａ，３ｂ）を折り重ねて底面板５の両側縁板（５ａ，５ｂ）面に接合して図３に示すロールシート収納紙箱１の組み立てを完了する。
【００２８】
図３のロールシート収納紙箱１を開封する作業手順は、まず、図４に示すように正面板２の下端縁Ｍにおける垂直に立ち上がっている平行な直線状の不連続切断部又は予め切断されている切断部であるＺ５とＺ５の間の摘み部７となる部分から左右対称形の不連続切断線（Ｚ，Ｚ）を天面板の該不連続切断線（Ｚ，Ｚ）の基点（ｘ１、ｘ２）まで切り離してロールシート引き出し口Ａと開閉蓋部Ｂを形成する。
【００２９】
なお、正面板２に形成される開口部を必要な間開放状態とするために、正面板２における蓋部Ｂの部分を正面板２と天面板３の間の折線Ｌ１から天面板下面に折り重ね、その状態で蓋部Ｂの半円状の差込片８を天面板３内の差込口９に差し込んで図５に示すように正面板２内の蓋部Ｂの部分を天面板３の下面に係止することも可能である。この蓋部Ｂは折線Ｌ１から天面板３の上面側に折り重ねて差込片８を差込口９に差込係止してもよい。
【００３０】
上記のように、正面板２にロールシートの引き出し口を形成した状態で、収納しているロールシートＳの端部を把持して図６に示すように引き出し、次いで、図７に示すように、引き出したシートを下方に引き下げることによって内側正面板６の波刃部分により切断する。
使いかけのロールシート収納紙箱１を保管する際には、天面板３の上面に係止している半円状の差込部８を差込口９から引き抜いて蓋部Ｂと天面板との係止状態を解除し、図８に示すように蓋部Ｂの摘み部７を正面板２の開口部に位置する内側正面板６における差込口１０に差込係止して正面板２の開口部を閉鎖すると、次の使用に備えて保管される状態となる。
【産業上の利用可能性】
【００３１】
本発明のロールシート収納紙箱１によれば、正面板内の引き出し開口部の両側縁に角部ａが形成されていて、該角部ａが形成されている両側縁間の開口部が正面板２内の開口部Ａの最大幅部分で、収納状態から引き出されるロールシートの幅と略等しい幅となるので、引き出されるシートの両側縁部が略Ｖ字形状に括れている角部ａ内に誘導された状態で引き出される結果、引き出し方に個人差があっても常にシートの両側縁部が角部ａにより水平状態に保たれて安定して引き出されるので、ペーパータオルやキッチンペーパーのような紙製シートのみならず、プラスチックフィルムやアルミフィルムの収納箱としても利用可能である。
【符号の説明】
【００３２】
１：ロールシート収納紙箱
２：正面板
３：天面板
４：背面板
５：底面板
６：内側正面板
７：摘み部
８：差込片
９：差込口
１０：差込口
２ａ，２ｂ，３ａ，３ｂ，４ａ，４ｂ，５ａ，５ｂ：側縁閉鎖板
Ａ：ロールシート引き出し開口部
Ｂ：蓋部
Ｅ：波刃
Ｌ１〜Ｌ９：折線
Ｍ：正面板の下端縁
Ｓ：ロールシート
Ｚ１：天面板内不連続切断線部
Ｚ２，Ｚ４，Ｚ５：正面板内傾斜不連続切断線部
Ｚ３：正面板内直線状不連続切断線部
Ｚ５：正面板内直立切断線部
ａ：角部
ｂ，ｃ：シート切断作業方向
ｄ：折線Ｌ５上の屈曲点ｗ１から折線Ｌ１までの長さ
ｆ１：傾斜不連続切断線部Ｚ２と折線Ｌ５とによる鋭角部の角度
ｆ２：傾斜不連続切断線部Ｚ２と傾斜不連続切断部Ｚ４とによる角部ａの角度
ｍ１、ｍ２：不連続切断線の終点
ｘ１、ｘ２：不連続切断線の基点
ｙ１、ｙ２：折線Ｌ１上の不連続切断線の屈曲点
ｗ１、ｗ２：折線Ｌ５上の不連続切断線の屈曲点
【図１】
2013129433.tif 000003
【図２】
2013129433.tif 000004
【図３】
2013129433.tif 000005
【図４】
2013129433.tif 000006
【図５】
2013129433.tif 000007
【図６】
2013129433.tif 000008
【図７】
2013129433.tif 000009
【図８】
2013129433.tif 000010